(57)【要約】【課題】  レーザー安全規格基準を満足し、且つ光の利用効率を高めることができる光照射装置を提供する。【解決手段】  拡散光を出力する光源と、拡散光を照射点に導く導光体と、を有し、導光体は、光源から出力された拡散光が入射する入射面と、入射した拡散光のうち、光軸中心部分の光が出射する第１出射面と、入射した拡散光のうち、光軸中心部分の周辺部分の光を出射する第２出射面と、を有し、第１出射面は、拡散光をさらに拡散させて出射する第１拡散特性を有し、第２出射面は、拡散光をさらに拡散させて出射する第２拡散特性を有し、第２拡散特性における第２拡散角度は、第１拡散特性における第１拡散角度よりも小さい、ことを特徴とする光照射装置による。【選択図】図１
2015065634.tif 000002
【特許請求の範囲】
【請求項１】
拡散光を出力する光源と、
前記拡散光を照射点に導く導光体と、
を有する光照射装置であって、
前記導光体は、
前記光源から出力された前記拡散光が入射する入射面と、
入射した前記拡散光のうち、光軸中心部分の光が出射する第１出射面と、
入射した前記拡散光のうち、前記光軸中心部分の周辺部分の光が出射する第２出射面と、
を有し、
前記第１出射面は、前記拡散光をさらに拡散させて出射する第１拡散特性を有し、
前記第２出射面は、前記拡散光をさらに拡散させて出射する第２拡散特性を有し、
前記第２拡散特性における第２拡散角度は、前記第１拡散特性における第１拡散角度よりも小さい、
ことを特徴とする光照射装置。
【請求項２】
拡散光を出力する光源と、
前記拡散光を照射点に導く導光体および折り返しミラーと、
を有する光照射装置であって、
前記折り返しミラーは、前記導光体から出射された前記拡散光の一部を前記照射点へと反射する位置に配置され、
前記導光体は、前記拡散光が入射する入射面と、前記入射面から入射した拡散光を出射する２つの出射面と、を有していて、
前記導光体の２つの出射面のうち、
前記折り返しミラーに向けて拡散光を出射する第１出射面は、第１拡散特性を有し、
前記照射点に向けて拡散光を出射する第２出射面は、第２拡散特性を有し、
前記第２拡散特性における第２拡散角度は、前記第１拡散特性における第１拡散角度よりも小さい、
ことを特徴とする光照射装置。
【請求項３】
前記第１拡散特性は、前記第１出射面に施された微細構造により与えられ、
前記第２拡散特性は、前記第２出射面に施された微細構造により与えられる、
請求項１または２に記載の光照射装置。
【請求項４】
前記導光体に入射した拡散光が前記第１出射面、前記第２出射面、以外の面からは出射されないように、前記導光体の前記第１出射面、前記第２出射面、以外の面には、内面にミラー加工が施されている、
請求項１乃至３のいずれかに記載の光照射装置。
【請求項５】
原稿台に載置された原稿面における照射点に向けて光を照射する光照射装置と、
前記照射点からの反射光により、前記原稿面上の画像を読取る画像読取部と、
前記画像読取部によって読み取られた画像の情報に基づいて記録媒体に画像を形成する画像形成部と、
を有する画像形成装置であって、
前記光照射装置が、請求項１乃至４のいずれかに記載の光照射装置である、
ことを特徴とする画像形成装置。
【発明の詳細な説明】
【技術分野】
【０００１】
本発明は、画像読取装置に用いる光照射装置及び、この光照射装置を備える画像形成装置に関するものである。
【背景技術】
【０００２】
原稿台に載置された原稿に対して光源から出力された光を照射し、原稿からの反射光に基づいて原稿面を読み取る画像読取装置が知られている。この画像読取装置が備える光照射装置は、原稿面上の照射点に対して、２つの異なる方向からの光を照射する様に構成される。照射点に対して２方向から光を照射するには、理由がある。すなわち、原稿面において影を生じさせないためである。言い換えると、原稿面に対して１方向のみから光を照射すると、原稿面に生じた影によって、原稿の読取り品質の低下に繋がる。これを防ぐために、原稿面に対して２つの方向から光を照射するようにしている。
【０００３】
原稿面に向けて２方向から光を照射するために、光源から出力（出射）された光を照射点に導く導光体を用いる。このような導光体には、２つの出射面（第１出射面と第２出射面）を設けてなるものが知られている（例えば、特許文献１を参照）。この導光体を用いて光照射装置を構成すれば、上記のような原稿読取り品質の低下を防ぐことができる。
【０００４】
特許文献１に記載されている導光体によれば、第１出射面から出射された光は、反射面を利用して照射点に照射される。また、第２出射面から出射された光は照射点に、直接的に照射点に照射される。
【０００５】
光源に用いられるＬＥＤは、近年の技術進歩により、より明るいものが製造されるようになっている。ただし、光源から照射された光については、レーザー安全規格を満足する必要がある。そこで、レーザー安全規格を満足するために、光源から照射点への光路上のいずれかにおいて、光を拡散させる光学部品を配置し、ＬＥＤ光源の持つ光の直進性を和らげることが行われている。
【発明の概要】
【発明が解決しようとする課題】
【０００６】
特許文献１に記載されているような、２つの出射面を備える導光体を用いた光照射装置では、導光体の形状や、光源の配置位置と２つの出射面の位置関係によって、導光体の第１出射面から出射される光の強度と、第２出射面から出射される光の強度が異なる。２つの出射面を備える導光体において、第１出射面側の拡散特性と第２出射面側の拡散特性を同じ拡散特性にすると、一方の出射面からの光が弱く、他方の出射面からの光が強くなる。２つの方向から照射される光による明るさのバランスが崩れた状態になるので、原稿面に影を生じさせることになる。
【０００７】
また、光が弱くなる出射面側の拡散特性に合わせて、光が強くなる拡散特性を設定すると、光照射装置としての光利用効率が低下することになる。
【０００８】
以上説明したように、導光体を用いて構成される光照射装置には、改善すべき課題がある。
【０００９】
そこで、本発明は、レーザー安全規格基準を満足し、且つ光の利用効率を高めることができる光照射装置を提供することを目的とする。
【課題を解決するための手段】
【００１０】
本発明は、拡散光を出力する光源と、前記拡散光を照射点に導く導光体と、を有する光照射装置であって、前記導光体は、前記光源から出力された前記拡散光が入射する入射面と、入射した前記拡散光のうち、光軸中心部分の光が出射する第１出射面と、入射した前記拡散光のうち、前記光軸中心部分の周辺部分の光が出射する第２出射面と、を有し、前記第１出射面は、前記拡散光をさらに拡散させて出射する第１拡散特性を有し、前記第２出射面は、前記拡散光をさらに拡散させて出射する第２拡散特性を有し、前記第２拡散特性における第２拡散角度は、前記第１拡散特性における第１拡散角度よりも小さい、ことを最も主な特徴とする。
【発明の効果】
【００１１】
本発明によれば、レーザー安全規格基準を満足し、且つ光の利用効率を高めることができる。
【図面の簡単な説明】
【００１２】
【図１】本発明に係る光照射装置の実施形態を示す光学配置図である。
【図２】上記光照射装置が備える光源の配光特性の例を示す特性図である。
【図３】上記光照射装置における照度分布の例を示す図である。
【図４】一般的な擬似白色ＬＥＤにおける発光スペクトルの例を示すグラフである。
【図５】レーザー安全規格（ＪＩＳ  Ｃ  ６８０２，ＩＥＣ６０８２５）における「網膜の光化学的障害」について説明するグラフである。
【図６】ランプ安全規格(ＪＩＳ  Ｃ  ７５５０，ＩＥＣ／ＥＮ６２４７１)における「青色光による網膜障害」について説明するグラフである。
【図７】本発明に係る光照射装置が備える導光体の出射面に施す微細構造の例である。
【図８】レーザー安全規格（ＪＩＳ  ６８０２，ＩＥＣ６０８２５）の指標値と、導光体出射面から５ｍｍ離れた位置における照度と、当該導光体に付与する拡散特性による拡散度合いの関係を示すグラフである。
【図９】導光モデルの例を示す図である。
【図１０】本発明に係る光照射装置において、第１出射面と第２出射面の拡散特性を異なるものに設定した場合の照度分布の例を示すグラフである。
【図１１】上記光照射装置において、第１出射面と第２出射面の拡散特性を異なるものに設定した場合の中心照度値の比の例を示す図である。
【図１２】上記光照射装置が備える導光体の各出射面から出射される光線の光度分布の例を示すグラフである。
【図１３】本発明に係る画像形成装置の実施形態を示す縦断面図である
【図１４】上記画像形成装置が備える画像読取部の例を示す縦断面図である。
【発明を実施するための形態】
【００１３】
以下、本発明に係る光照射装置と画像形成装置の実施形態について、図面を参照しながら説明する。
【００１４】
●光照射装置の実施形態
図１は、本実施形態に係る光照射装置１００の例を示す光学配置図である。図１において、光照射装置１００は、ＬＥＤ光源である光源１１０１と、光源１１０１を実装する基板１１０２と、導光体１１０３と、折り返しミラーである対向リフレクタ１１０４と、を有してなる。なお、これら各部材を所定の位置に保持する固定構造体は図示を省略している。
【００１５】
光源１１０１から出力（出射）される光は、図１における紙面右方向に向かう。この光の直進する方向をＸ方向とする。また、Ｘ方向に直交する方向であって、光源１１０１から見てコンタクトガラス１１０５が配置されている方向をＹ方向とする。図１では、Ｘ方向をＸ軸で表し、Ｙ方向をＹ軸で表している。また、Ｘ軸とＹ軸に直交する軸をＺ軸とし、Ｚ軸の方向をＺ方向とする。後述する画像形成装置において、Ｘ方向が副主走査方向となる。また、Ｚ方向が主走査方向となる。
【００１６】
図１は、光照射装置１００のＸ方向における断面図でもある。すなわち、導光体１１０３や対向リフレクタ１１０４、コンタクトガラス１１０５は、Ｚ方向において同一の形状にて読取原稿に応じた長さの構造を有している。また、光源１１０１も、Ｚ方向において読取原稿に応じた範囲内に複数個が並んで配置されている。
【００１７】
光源１１０１から出力された光は、導光体１１０３の入射面から入射して、第１出射面１１１１と第２出射面１１１２を通過して、導光体１１０３から、それぞれの方向に向けて出射される。
【００１８】
導光体１１０３の側面は、鏡面状に磨かれた研磨面であって、内面側にミラー加工が施されている。ここでいう「導光体１１０３の側面」とは、入射面、第１出射面１１１１、第２出射面１１１２、を除く面、をいう。したがって、入射面から導光体１１０３に入射した光は、ある入射角以上でいずれかの側面に入射した場合、その側面を透過することなく全反射する。このため導光体１１０３に入射した光は、導光体１１０３の入射面にて発生する表面反射と、導光体１１０３を構成する材料による吸収を除き、減衰することなく導光体１１０３内を導光し、第１出射面１１１１と第２出射面１１１２から出射される。
【００１９】
次に、導光体１１０３が有する２つの出射面から出射される光について説明する。主に、第１出射面１１１１から出射される光は、導光体１１０３の側面１１１３において反射せずに出射される光であって、対向リフレクタ１１０４にて反射されてコンタクトガラス１１０５上の照射点に向う光である。一方、主に第２出射面１１１２から出射される光は、側面１１１３において全反射されて、第２出射面１１１２からコンタクトガラス１１０５の照射点に直接向う光である。
【００２０】
言い換えると、光照射装置１００は、光源１１０１から出力される拡散光の光軸に対して垂直な入射面から導光体１１０３に入射した光の光軸中心部分を主とする光を、第１出射面１１１１から出射する。また、導光体１１０３に入射した光の光軸中心部分の周辺部分を主とする光を、第２出射面１１１２から出射される。
【００２１】
図２は、光源１１０１における配光特性の例を示す特性図である。光源１１０１に用いられるＬＥＤは、コスト的に優れているため、特に集光のため樹脂レンズ等を用いずに、蛍光体が平坦な面形状でむき出しとなっていることが多い。そのようなＬＥＤの場合、出力される光の配光特性は、図２に示すような「ランバート発光」と呼ばれる特性となる。
【００２２】
図２において、０度方向（図２の紙面下方向）がＸ方向（図１参照）である。すなわち、光源１１０１の発光面に垂直な方向が、図２における０度方向である。図２から明らかなように、光源１１０１から最も強い光が発せられる方向、すなわち光度が高い方向は、０度方向である。
【００２３】
したがって、光源１１０１の出射面の垂直方向に配置される第１出射面１１１１から出力される光の光度は、第２出射面１１１２から出力される光の光度よりも高い。そこで、導光体１１０３の第１出射面１１１１と第２出射面１１１２のそれぞれの拡散特性を調整する。具体的には、第２出射面１１１２から出力される光の光度が、第１出射面１１１１から出力される光の光度を超えない範囲内となるように、第２出射面１１１２が有する第２拡散特性と、第１出射面１１１１が有する第１拡散特性とを調整する。
【００２４】
以下において、導光体１１０３における第１拡散特性と第２拡散特性の違いを説明する。最初に、光源１１０１に用いられるＬＥＤの出力光（拡散光）の照度分布について説明する。図３は、光照射装置１００によってコンタクトガラス１１０５上の領域Ｅが照射されたときの照度分布の例を示す図である。
【００２５】
光源１１０１から出力された拡散光は、導光体１１０３に入射して、第１出射面１１１１及び第２出射面１１１２（ともに、図３においては図示せず）から出射される。導光体１１０３から出射された光の一部は、コンタクトガラス１１０５上の領域Ｅに直接向かい、導光体１１０３から出射された光の他の一部は、対向リフレクタ１１０４によって反射されてからコンタクトガラス１１０５上の領域Ｅに向う。
【００２６】
この領域Ｅが照射点となる。光照射装置１００は、照射点における照度が最も高くなるように、導光体１１０３と対向リフレクタ１１０４を配置している。
【００２７】
次に、光源１１０１の発光スペクトルについて説明する。図４は、光源１１０１に用いられる一般的な擬似白色ＬＥＤにおける発光スペクトルの例である。図４において、横軸は光の波長を示し、縦軸は分光強度を示している。擬似白色ＬＥＤは、波長４５０ｎｍ程度の光線を発する青色ＬＥＤチップであって、その周辺に充填された黄色やオレンジ色の蛍光体を励起・蛍光させることにより、これらの光を混色させて白色の光を発するものである。そのため、人間の視感度が小さく照度値へ寄与も小さいにも拘らず、図４のように青色ＬＥＤチップからの発光スペクトルが非常に強い。
【００２８】
次に、光が人の網膜に与える影響について説明する。図５は、レーザー安全規格（ＪＩＳ  Ｃ  ６８０２，ＩＥＣ６０８２５）における「網膜の光化学的障害」について説明するグラフである。また、図６は、ランプ安全規格(ＪＩＳ  Ｃ  ７５５０，ＩＥＣ／ＥＮ６２４７１)における「青色光による網膜障害」について説明するグラフである。
【００２９】
図５及び図６のグラフは、横軸は光の波長を示し、縦軸は網膜の光学的障害指標を示している。図５及び図６から明らかなように、網膜の光学的障害指標値は、波長４００ｎｍ〜４５０ｎｍ付近の光による影響が最も大きい。
【００３０】
したがって、この波長付近の分光強度が強い発光手段、例えば擬似白色ＬＥＤを用いる場合、その光源装置は、他の発光手段を用いたものに比べて、より低い照度値で使用した場合でも安全規格指標値の閾値に達成しやすい。このため、従来は、より安全に安全規格基準クラスを達成するために、発光手段が持つ能力よりも低い照度値で運用しており、光の利用効率という観点で改良の余地がある。本実施形態に係る光照射装置１００は、レーザー安全規格基準を満足し、且つ光の利用効率を高めている。詳細は後述する。
【００３１】
次に、本実施形態において、第１出射面１１１１の第１拡散特性と第２出射面１１１２の第２拡散特性との違いを説明する際に用いる指標である「拡散角度」について説明する。
【００３２】
第１出射面１１１１と第２出射面１１１２には、図７に示すような微細構造を施すことで、それぞれに異なる拡散特性である「第１拡散特性」と「第２拡散特性」を与えることができる。したがって、第１拡散特性と第２拡散特性における「拡散角度」の違いは、第１出射面１１１１と第２出射面１１１２の微細構造の違いによって与えられる。
【００３３】
拡散角度とは、レーザー光のような直進光線を拡散構造体に垂直入射したとき、出射される拡散光の強度が最大値の半分となる角度幅（半値全幅）をいう。すなわち、拡散角度の大小は、そのまま拡散度合いの大小を表す。拡散角度が大きければ、同じレーザー光であっても、その強さは弱まる。
【００３４】
ここで、簡易的な導光体モデルを用いて、レーザー安全規格（ＪＩＳ  ６８０２，ＩＥＣ６０８２５）の指標値と、導光体出射面から５ｍｍ離れた位置における照度と、当該導光体に付与する拡散特性による拡散度合いの関係について、図８を用いて説明する。
【００３５】
図８において、横軸は拡散面の拡散角度（拡散面拡散角度）を示し、縦軸は照度と安全規格指標を示している。
【００３６】
図９は、図８に示すグラフに用いられた光照射モデルの例を示す図である。図９に示すように、光照射モデル２００は、光源であるＬＥＤ２０１と、拡散面２０３を出射面とする導光体モデル２０２によって構成されている。
【００３７】
図８に示すグラフにおいて、各値は、拡散面２０３に付与された拡散特性における拡散角度が１０°のときの照度と安全規格指標値を「１」として規格化している。
【００３８】
図８に示すように、光照射モデル２００の拡散面２０３における拡散角度が大きくなると、安全規格の指標値は小さくなり、同時に、照度も下がる。すなわち、安全面を重視して、拡散面２０３の拡散角度が大きくすると、原稿面における照度が下がってしまい、光の効率も下がることになる。
【００３９】
そこで、本実施形態においては、導光体１１０３の第１出射面１１１１と第２出射面１１１２を透過する光の光度を、各面に付与する拡散特性によって変えることが望ましい。
【００４０】
すなわち、光源１１０１について図２における０°方向に位置する第１出射面１１１１において、第１拡散特性による第１拡散角度と、第２出射面１１１２において、第２拡散特性による第２拡散角度は、第１拡散角度が第２拡散角度よりも大きくなるようにすればよい。つまり、第２拡散角度が、第１拡散角度よりも小さくなるように、それぞれの拡散特性を付与すればよい。
【００４１】
次に、本実施形態にかかる光照射装置１００において、第１出射面１１１１に付与する第１拡散角度と、第２出射面１１１２に付与する第２拡散角度を、異なる値に設定した場合における、照射点における照度分布の例を図１０に示す。
【００４２】
図１０は、第１出射面１１１１に付与する第１拡散角度の半値幅を５°に設定し、第２出射面１１１２に付与する第２拡散角度の半値幅を１５°に設定した場合の、照射点における照度分布である。
【００４３】
また、いずれの面の拡散角度も１５°に設定した場合の中心照度値と、第１出射面１１１１に付与する第１拡散角度の半値幅を５°に設定し、第２出射面１１１２に付与する第２拡散角度の半値幅を１５°に設定した場合の中心照度値との比を図１１に示す。図１１に示すように、第１拡散角度と第２拡散角度の設定を異なる値に設定した方が、中心照度値が６％高くなる。
【００４４】
すでに説明したとおり、導光体１１０３における第１出射面１１１１に付与される第１拡散特性と第２出射面１１１２に付与される第２拡散特性は、出射面表面に付与された微細な形状により与えられる。その面を透過した光線は、出射点を頂点とする円錐状に拡散する。
【００４５】
前述したように、近年はこの拡散角度を任意に変化させることも可能であり、また水平方向と垂直方向の拡散角度を同一にしないことも可能である。
【００４６】
図１２は、導光体１１０３の各出射面から出射する光線の光度分布について説明するグラフであって、導光体１１０３の２つの出射面から出射される光線の光度分布をシミュレーションしたものである。
【００４７】
図１２において、横軸おける角度の０°方向は、図１に示したＸ方向（水平左方向）と一致する。また、＋９０°方向は、図１に示したＹ方向（垂直上方向）と一致する。なお光度は最大値にて規格化している。
【００４８】
図１２からも明らかなように、導光体１１０３から出射される光線のうち、もっとも強い光度を持つ光線が出射されるのは、第１出射面１１１１である。ここで、第２出射面１１１２から出射される光線の光度は、第２拡散特性における第２拡散角度が１５°の場合において、第１出射面１１１１からの光線の光度の６割程度である。
【００４９】
図１２に示すように、第２出射面１１１２の拡散角度を５°に変えると、前述の光度の割合は８割まで増えるが、第１出射面１１１１からの光度は超えない。
【００５０】
このため、導光体１１０３を用いた光照射装置１００の安全規格値は、第２出射面１１１２の拡散角を５°まで小さくしても、第１出射面１１１１から出射する光線を対象として算出すればよい。言い換えると、すなわち、光照射装置１００の安全規格値は、第２出射面１１１２の拡散角とは相関せず、第１出射面の拡散角との相関において算出すればよい。
【００５１】
一方、図１２に示すように、原稿面における照度は、第２出射面１１１２の第２拡散特性に依存する。したがって、第２出射面１１１２の第２拡散特性における第２拡散角度は、光度が高くなる（明るい）ことが分かる。このため、原稿面の照度を上げるためには第２出射面１１１２から出射する光線の光度が、第１出射面１１１１から出射する光線の光度を超えない限りにおいて、第２拡散角度を第１拡散角度よりも小さく（狭く）すればよい。
【００５２】
以上説明した本実施形態に係る光照射装置１００によれば、導光体１１０３が有する２つの出射面において、照射する光の強度が弱い第２出射面１１１２の拡散角度を、照射する光の強度が強い第１出射面１１１１の拡散角度よりも小さくする。これによって、レーザー安全規格基準を満足し、且つ光の利用効率を高めることができる。
【００５３】
なお、本実施形態においては、導光体１１０３の出射面は２つのものを例とした。しかし、本発明に係る光照射装置は、これに限ることはなく、３以上の出射面を有するものでもよい。また、出射面に限らず入射面が２つ以上あるものでも良く、また広く光が透過する面ではなく、反射する面に設けてもよい。またこれらの組み合わせでもよい。
【００５４】
●画像形成装置の実施形態
次に、本発明に係る画像形成装置の実施形態について、図１３を用いて説明する。図１３は、本実施形態に係る画像形成装置の例である複写機１０の縦断面図である。図１３において、複写機１０は、自動原稿搬送装置１１と、給紙部１２と、画像読取部（画像読取装置）１３と、画像形成部（画像形成手段）１４と、を有してなる。
【００５５】
自動原稿搬送装置１１は、原稿トレイ１６と、分離給紙手段１７と、搬送ベルト１８と、排紙手段１９と、排紙トレイ２０とを有してなる。
【００５６】
原稿トレイ１６に載置された原稿を給紙ローラや分離ローラ等の各種ローラからなる分離給紙手段１７によって原稿台であるコンタクトガラス１１０５上に搬送する。コンタクトガラス１１０５上に搬送された原稿の読取りが終了した後、この原稿を搬送ベルト１８によってコンタクトガラス１１０５上から搬出する。コンタクトガラス１１０５上からの搬出された原稿は、各種排紙ローラからなる排紙手段１９によって排紙トレイ２０に排紙される。
【００５７】
また、両面原稿の読取りを行うときは、排紙手段１９に設けられた分岐機構および搬送ベルト１８によって、原稿をコンタクトガラス１１０５上に返送して未読取面の読取りを行う。
【００５８】
給紙部１２は、異なるサイズの記録媒体としての記録紙を収納する第１給紙カセット２１ａと、第２給紙カセット２１ｂと、を備えている。第１給紙カセット２１ａと第２給紙カセット２１ｂに収納された記録紙は、各種ローラからなる給紙手段２２によって転写位置まで搬送される。
【００５９】
画像読取部１３は、第１キャリッジ３５と第２キャリッジ３６を、図５における紙面左右方向（すなわち副走査方向）に駆動して、光源からの光を原稿面に照射し、これによって原稿面を読取る。この読取光をミラーで反射された後、レンズユニット３７によってＣＣＤ等の画像読取センサに取り込まれる。なお、画像読取部１３の詳細な構造は、後述する。
【００６０】
画像形成部１４は、露光装置２３と、複数の感光体ドラム２４と、現像装置２５と、転写する転写ベルト２６と、定着装置２７とを備えている。
【００６１】
露光装置２３は、レンズユニット３７に取り込まれた読取信号に基づいて書き込み信号を形成する。
【００６２】
複数の感光体ドラム２４は、露光装置２３によって生成された書き込み信号によって、表面に潜像が形成される。
【００６３】
現像装置２５は、シアン、マゼンタ、イエロー、ブラックとそれぞれ異なる色のトナーが充填され、各感光体ドラム２４に異なる色のトナーを供給して潜像を可視像化させる。
【００６４】
転写ベルト２６は、感光体ドラム２４上に形成された可視像が重ねられて転写されることにより形成されたカラー画像を、給紙部１２から給紙された記録紙に転写する。
【００６５】
定着装置２７は、記録紙に定着されたカラー画像を記録紙に定着させる。
【００６６】
次に、画像読取部１３の構成について、図１４を用いて説明する。画像読取部１３は、主に、コンタクトガラス１１０５と、本体フレーム３１と、第１キャリッジ３５と、第２キャリッジ３６と、レンズユニット３７と、撮像素子５７と、を有してなる。
【００６７】
また、画像読取部１３は、図１４において図示していないが、駆動レール、プーリー、モーター、ワイヤ、及び、これらを保持する構造体も、有している。
【００６８】
第１キャリッジ３５は、すでに説明をした光照射装置１００である。すなわち、光源１１０１と、光源１１０１を実装する基板１１０２と、透明材料からなる導光体１１０３と、反射ミラーである対向リフレクタ１１０４と、を有してなる。
【００６９】
第２キャリッジ３６は、２枚の反射ミラー４４ｂと反射ミラー４４ｃを有してなる。
【００７０】
第１キャリッジ３５及び第２キャリッジ３６からなる光照明光学系を構成する光学部品及び撮像素子５７は、図１４における垂直方向に長尺な形状、もしくは連続的配置されている。なおこの方向を主走査方向という。
【００７１】
読取対象となる原稿は、コンタクトガラス１１０５上に載置（保持）される。光照射光学系は、その原稿面上を主走査方向に照射し、その照射領域からの反射光が各反射ミラーで反射される。この反射された光が、レンズユニット３７に入射され、撮像素子５７上に集光・結像される。これによって、線状の画像データ（画像の情報）が取得される。
【００７２】
面状の画像データを取得するには、読取対象面上において、主走査方向とは垂直方向に移動しつつ線状の画像データを連続的に取得すればよい。この移動方向を副走査方向という。
【００７３】
画像読取部１３は、第１キャリッジ３５が移動すればよいが、原稿面とレンズユニット３７及び撮像素子５７間の距離が変化しないように第２キャリッジ３６を移動させる。これによって、撮像素子５７で得られる画像データがボケることなく良好な面状の画像データを得ることが可能となる。
【００７４】
以上説明した複写機１０の照明光学系に、すでに説明した光照射装置１００を適用することで、レーザー安全規格基準を満足し、且つ光の利用効率を高めた画像形成装置を得ることが出来る。
【符号の説明】
【００７５】
１１０１    光源
１１０３    導光体
１１１１    第１出射面
１１１２    第２出射面
【先行技術文献】
【特許文献】
【００７６】
【特許文献１】特開２０１１−７１６０８号公報
【図１】
2015065634.tif 000003
【図２】
2015065634.tif 000004
【図３】
2015065634.tif 000005
【図４】
2015065634.tif 000006
【図５】
2015065634.tif 000007
【図６】
2015065634.tif 000008
【図８】
2015065634.tif 000009
【図９】
2015065634.tif 000010
【図１０】
2015065634.tif 000011
【図１１】
2015065634.tif 000012
【図１２】
2015065634.tif 000013
【図１３】
2015065634.tif 000014
【図１４】
2015065634.tif 000015
【図７】
2015065634.tif 000016